(57)【要約】【課題】貨幣処理装置における初期在高を適切に設定可能にする。【解決手段】貨幣処理装置（紙幣入出金機１Ａ）は、入金処理時に貨幣を収納し、出金処理時に収納している貨幣を繰り出す収納部（収納カセット３１）を備え、収納部の貨幣の初期在高は、予め設定されている。貨幣処理方法は、入金処理又は出金処理が行われることに伴い変化する収納部の在高の履歴を記憶し、記憶している履歴に基づいて、収納部の初期在高を再設定し、再設定した初期在高となるように、所定のタイミングで、収納部に貨幣を補充する、又は、収納部内の前記貨幣を回収する。【選択図】図１
2013167936.tif 000002
【特許請求の範囲】
【請求項１】
入金処理時に貨幣を収納し、出金処理時に収納している前記貨幣を繰り出す収納部を備えた貨幣処理装置における貨幣処理方法であって、
前記収納部の前記貨幣の初期在高が設定されており、
前記入金処理又は前記出金処理が行われることに伴い変化する前記収納部の在高の履歴を記憶し、
記憶している前記履歴に基づいて、前記収納部の前記初期在高を再設定し、
再設定した前記初期在高となるように、所定のタイミングで、前記収納部に前記貨幣を補充する、又は、前記収納部内の前記貨幣を回収する貨幣処理方法。
【請求項２】
前記初期在高は、前記収納部が、前記初期在高の状態から満杯になるまでの期間、及び、前記初期在高の状態から空になるまでの期間が、それぞれ最も長くなるように再設定する請求項１に記載の貨幣処理方法。
【請求項３】
前記初期在高は、
前記履歴から得られる所定のスパン内における前記収納部の最大在高、
前記履歴から得られる前記所定のスパン内における前記収納部の最小在高、
設定されている前記初期在高、
前記収納部の最大容量、
前記収納部の前記最大容量よりも所定量だけ少ないニアフル容量、
前記収納部の最小容量、及び、
前記収納部の前記最小容量よりも所定量だけ多いニアエンプティ容量、
を比較要素としかつ、当該比較要素の大小関係を特定する複数の条件を満足するように前記初期在高の適正範囲を決定することによって、再設定する請求項１又は２に記載の貨幣処理方法。
【請求項４】
前記初期在高の適正範囲は、
（１）前記最大在高が前記最大容量を超えない、
（２）前記最小在高が前記最小容量を超える、
（３）前記初期在高が前記ニアフル容量を超えない、
（４）前記初期在高が前記ニアエンプティ容量を超える、
（５）前記最大在高が前記ニアフル容量を超えない、
（６）前記最小在高が前記ニアエンプティ容量を超える、
の順に優先順位が設定された複数の条件を満足するように決定する請求項３に記載の貨幣処理方法。
【請求項５】
前記貨幣処理装置は、前記収納部から溢れた前記貨幣を収納するオーバーフロー収納部をさらに備え、
前記初期在高の適正範囲は、
（１）前記最小在高が前記最小容量を超える、
（２）前記初期在高が前記ニアエンプティ容量を超える、
（３）前記最小在高が前記ニアエンプティ容量を超える、
（４）前記最大在高が前記最大容量を超えない、
（５）前記初期在高が前記ニアフル容量を超えない、
（６）前記最大在高が前記ニアフル容量を超えない、
の順に優先順位が設定された複数の条件を満足するように決定する請求項３に記載の貨幣処理方法。
【請求項６】
入金処理時に貨幣を収納し、出金処理時に収納している前記貨幣を繰り出す収納部を備えた貨幣処理装置であって、
前記収納部の前記貨幣の初期在高が設定されており、
前記入金処理又は前記出金処理が行われることに伴い変化する前記収納部の在高の履歴を記憶するように構成された記憶部と、
前記記憶部に記憶されている前記履歴に基づいて、前記収納部の前記初期在高を再設定するように構成された在高設定部と、
再設定した前記初期在高となるように、所定のタイミングで、前記収納部に前記貨幣を補充する、又は、前記収納部内の前記貨幣を回収するように構成された補充・回収部と、を備えている貨幣処理装置。
【請求項７】
前記在高設定部は、前記収納部が、前記初期在高の状態から満杯になるまでの期間、及び、前記初期在高の状態から空になるまでの期間が、それぞれ最も長くなるように、前記初期在高を再設定する請求項６に記載の貨幣処理装置。
【請求項８】
前記在高設定部は、
前記履歴から得られる所定のスパン内における前記収納部の最大在高、
前記履歴から得られる前記所定のスパン内における前記収納部の最小在高、
設定されている前記初期在高、
前記収納部の最大容量、
前記収納部の前記最大容量よりも所定量だけ少ないニアフル容量、
前記収納部の最小容量、及び、
前記収納部の前記最小容量よりも所定量だけ多いニアエンプティ容量、
を比較要素としかつ、当該比較要素の大小関係を特定する複数の条件を満足するように前記初期在高の適正範囲を決定することによって、前記初期在高を再設定する請求項６又は７に記載の貨幣処理装置。
【請求項９】
前記在高設定部は、
（１）前記最大在高が前記最大容量を超えない、
（２）前記最小在高が前記最小容量を超える、
（３）前記初期在高が前記ニアフル容量を超えない、
（４）前記初期在高が前記ニアエンプティ容量を超える、
（５）前記最大在高が前記ニアフル容量を超えない、
（６）前記最小在高が前記ニアエンプティ容量を超える、
の順に優先順位が設定された複数の条件を満足するように、前記初期在高の適正範囲を決定する請求項８に記載の貨幣処理装置。
【請求項１０】
前記収納部から溢れた前記貨幣を収納するオーバーフロー収納部をさらに備え、
前記在高設定部は、
（１）前記最小在高が前記最小容量を超える、
（２）前記初期在高が前記ニアエンプティ容量を超える、
（３）前記最小在高が前記ニアエンプティ容量を超える、
（４）前記最大在高が前記最大容量を超えない、
（５）前記初期在高が前記ニアフル容量を超えない、
（６）前記最大在高が前記ニアフル容量を超えない、
の順に優先順位が設定された複数の条件を満足するように、前記初期在高の適正範囲を決定する請求項８に記載の貨幣処理装置。
【請求項１１】
前記収納部は、前記貨幣を金種毎に収納する複数の金種別収納部を含み、
前記記憶部は、前記金種別収納部毎に、前記履歴を記憶し、
前記在高設定部は、前記金種別収納部毎に、前記初期在高を設定する請求項６〜１０のいずれか１項に記載の貨幣処理装置。
【請求項１２】
入金処理及び出金処理を行う貨幣処理機と、当該貨幣処理機に接続された管理装置とを備えた貨幣処理システムであって、
前記貨幣処理機は、前記入金処理時に貨幣を収納し、前記出金処理時に収納している前記貨幣を繰り出す収納部を備え、
前記収納部の前記貨幣の初期在高が設定されており、
前記管理装置は、前記入金処理又は前記出金処理が行われることに伴い変化する前記収納部の在高の履歴を記憶するように構成された記憶部と、前記記憶部に記憶されている前記履歴に基づいて、前記収納部の前記初期在高を再設定するように構成された在高設定部と、を備え、
前記貨幣処理機はさらに、再設定した前記初期在高となるように、所定のタイミングで、前記収納部に前記貨幣を補充する、又は、前記収納部内の前記貨幣を回収するように構成された補充・回収部を備えている貨幣処理システム。
【発明の詳細な説明】
【技術分野】
【０００１】
本発明は、貨幣処理方法、貨幣処理装置、及び、貨幣処理システムに関する。
【背景技術】
【０００２】
特許文献１には、例えば駅の緑の窓口等に設置されて係員が操作をする現金入出金機において行われる、紙幣収納部に収納されている紙幣を回収する処理の一つとして、釣銭準備金として必要な金種の紙幣を、予め設定した枚数だけ収納部に残しつつ、残りの紙幣を収納部から回収する残置回収処理が記載されている。
【０００３】
また、特許文献２には、店舗のレジスタに設けられた貨幣入出金機における処理として、始業時に各収納部（紙幣収納部及び硬貨収納部の双方を含む）の初期在高を合計して記憶しておき、終業後に、収納部内の紙幣を回収する時には、記憶しておいた初期在高から硬貨の現在在高を差し引いた結果に基づいて、収納部に残置する紙幣の総額を自動的に決定すると共に、その決定した残置額となるように収納部から紙幣を回収する処理が記載されている。
【０００４】
さらに、特許文献３には、金融機関等に設置される貨幣入出金機として、空になった収納部内に貨幣を補充する補充処理や、満杯になった収納部内から貨幣を回収する回収処理が、業務中に突然に必要となる事態を回避して、業務効率の低下を回避する目的から、収納部内の在高の変化を時系列データとして記憶すると共に、日付、曜日及び天候等の要素を加味して、収納部内の在高の今後の変化を予測することで、収納部内から貨幣を回収すべきタイミング及びその回収量、また、収納部内に貨幣を補充すべきタイミング及びその補充量を、オペレータに事前に提示する装置が記載されている。
【先行技術文献】
【特許文献】
【０００５】
【特許文献１】特許第３２９５２９１号公報
【特許文献２】特開２００５−１７３９６０号公報
【特許文献３】特許第２６７８１０４号公報
【発明の概要】
【発明が解決しようとする課題】
【０００６】
ところで、前記特許文献３にも記載されているように、貨幣入出金機において、業務中に収納部が満杯になって回収処理が必要になったり、収納部が空になって補充処理が必要になったりすると、業務を一旦中断しなければならないため、業務効率が低下してしまうという問題がある。
【０００７】
ここで、業務中に収納部が満杯になってしまうような場合は、業務開始時における収納部内の在高（初期在高）を比較的少なくしておけば、収納部が満杯になってしまうまでの期間が長くなって、業務中に回収処理が必要となる事態を避けることができる可能性がある。同様に、業務中に収納部が空になってしまうような場合は、業務開始時における収納部内の初期在高を比較的多くしておけば、収納部が空になってしまうまでの期間が長くなって、業務中に補充処理が必要となる事態を避けることができる可能性がある。
【０００８】
しかしながら、収納部が満杯になりやすいという傾向や、収納部が空になりやすいという傾向は、その貨幣入出金機が設置されている場所（金融機関の当該店舗がある周囲環境）等によって異なるため、最適な初期在高を、予め、一義的に決定しておくことはできず、通常は、オペレータが、過去の経験や勘に基づいて初期在高を適宜設定している。
【０００９】
ここに開示する技術は、かかる点に鑑みてなされたものであり、その目的とするところは、貨幣処理装置における初期在高を適切に設定可能にすることにある。
【課題を解決するための手段】
【００１０】
ここに開示する方法は、入金処理時に貨幣を収納し、出金処理時に収納している前記貨幣を繰り出す収納部を備えた貨幣処理装置における貨幣処理方法である。
【００１１】
この貨幣処理方法は、前記収納部の前記貨幣の初期在高が設定されている前提で、前記入金処理又は前記出金処理が行われることに伴い変化する前記収納部の在高の履歴を記憶し、記憶している前記履歴に基づいて、前記収納部の前記初期在高を再設定し、再設定した前記初期在高となるように、所定のタイミングで、前記収納部に前記貨幣を補充する、又は、前記収納部内の前記貨幣を回収する。
【００１２】
これによると、貨幣処理装置の収納部には、予め設定されている初期在高となるように貨幣が収納されている。入金処理又は出金処理が行われることに伴い、収納部の在高は変化するが、その在高の変化履歴が記憶される。在高の変化履歴により、例えば、入金処理の方が出金処理よりも多い、逆に、出金処理の方が入金処理よりも多いといった処理の傾向や、どの程度の入金量があるか、または、どの程度の出金量があるかといった収納部に対する貨幣の出入り量の傾向に関する情報が得られる。こうした過去の情報は、貨幣処理装置が設置されている周囲環境の影響を反映した情報である。
【００１３】
そのようにして在高の変化履歴が得られれば、記憶している履歴に基づいて初期在高を再設定する。前述したように、履歴には、貨幣処理装置が設置されている周囲環境の影響が反映されるため、再設定した初期在高は、貨幣処理装置が設置されている周囲環境に最適化される。そのため、再設定した初期在高となるように、所定のタイミングで、収納部に貨幣を補充する、又は、収納部内の貨幣を回収した後は、例えば業務中に収納部が満杯になって回収処理が必要となったり、収納部が空になって補充処理が必要となったりする事態が、できるだけ回避される。
【００１４】
ここで、「所定のタイミング」は、任意のタイミングに設定することが可能であり、例えば、業務終了時としてもよいし、予め定められた補充・回収日（例えば警送会社が貨幣処理装置に対する貨幣の補充・回収を行うように予め定められた日）としてもよい。また、収納部が満杯又は空になったタイミングを、所定のタイミングとしてもよい。
【００１５】
前記初期在高は、前記収納部が、前記初期在高の状態から満杯になるまでの期間、及び、前記初期在高の状態から空になるまでの期間が、それぞれ最も長くなるように再設定する、としてもよい。
【００１６】
初期在高の状態から満杯になるまでの期間、及び、前記初期在高の状態から空になるまでの期間が、それぞれ最も長くなることによって、業務中に収納部が満杯になって回収処理が必要となったり、収納部が空になって補充処理が必要となったりする事態が、できるだけ回避される。また、それらの期間が共に長くなることは、言い換えると、回収処理及び補充処理の回数が減ることであるから、貨幣処理装置の運用負担が軽減する。
【００１７】
前記初期在高は、前記履歴から得られる所定のスパン内における前記収納部の最大在高、前記履歴から得られる前記所定のスパン内における前記収納部の最小在高、設定されている前記初期在高、前記収納部の最大容量、前記収納部の前記最大容量よりも所定量だけ少ないニアフル容量、前記収納部の最小容量、及び、前記収納部の前記最小容量よりも所定量だけ多いニアエンプティ容量、を比較要素としかつ、当該比較要素の大小関係を特定する複数の条件を満足するように前記初期在高の適正範囲を決定することによって、再設定する、としてもよい。
【００１８】
ここで、「所定のスパン」とは、所定の期間の意味であり、任意の期間を設定することが可能である。すなわち、所定のスパンを、例えば「１日」（業務開始から業務終了まで）等の日単位で設定してもよいし、例えば「１週間」（月曜日から金曜日までの営業日としての１週間や、日曜日から土曜日まで）等の週単位に設定してもよいし、例えば「１ヶ月」等の月単位に設定してもよい。
【００１９】
また、初期在高は常に同じとは限らず、決算日や給料日等の商取引上の慣習を考慮して、初期在高は日によって変えて設定してもよく、初期在高を、例えば曜日毎に変えるようにしてもよい。その場合、所定のスパンは、「月曜日」「火曜日」等で設定してもよい。また、例えば五・十日等の決済日といった特定の日を、所定のスパンとして設定してもよい。
【００２０】
所定のスパン内における最大在高や最小在高は、履歴データのばらつきの影響を無くし、周囲環境の影響を正確に反映させる上で平均値を用いることが望ましい。
【００２１】
尚、「所定のスパン」は、前述した補充・回収を行う所定のタイミングに関連づけることも可能である。例えば所定のスパンを、業務開始から業務終了までの１日に設定したときには、補充・回収を行うタイミングは、業務終了後としてもよい。
【００２２】
このような、履歴から得られる最大在高及び最小在高を用いることによって、初期在高の適正範囲を、適切に決定することが可能になる。
【００２３】
前記初期在高の適正範囲は、（１）前記最大在高が前記最大容量を超えない、（２）前記最小在高が前記最小容量を超える、（３）前記初期在高が前記ニアフル容量を超えない、（４）前記初期在高が前記ニアエンプティ容量を超える、（５）前記最大在高が前記ニアフル容量を超えない、（６）前記最小在高が前記ニアエンプティ容量を超える、の順に優先順位が設定された複数の条件を満足するように決定する、としてもよい。
【００２４】
ここでいう「優先順位」とは、複数の条件を、順に満足するように初期在高の範囲を設定していく過程において、初期在高の最適範囲が次第に狭くなっていくが、その途中で条件を満足させることができなくなったときには、初期在高の範囲の設定を中止することを意味する。
【００２５】
つまり、６つの条件全てが満足するように初期在高の適正範囲を設定することが、常に可能とは限らず、６つの条件の内の一部の条件しか満足させることができないことも起こり得る。その場合は、予め設定した優先順位に従って、複数の条件を、順に満足するように初期在高の適正範囲を設定していく。例えば４番目の優先順位の条件を満足させることができなくなったようなときには、初期在高の最適範囲は、１〜３番目の優先順位の条件を満足させる最適範囲として決定し、４〜６番目の優先順の条件は無視することになる。
【００２６】
前記の構成では、最大在高が前記最大容量を超えないという条件を最優先にしているため、収納部が満杯になることが優先的に回避される。このことは、業務中に回収処理を行う事態を回避して、業務効率の向上に有利になる。つまり、後述するように、貨幣を、金種別に異なる収納部に収納しているような場合は特に、特定の収納部が空になって、当該収納部に収納されている貨幣がなくなってしまっても、他の金種の貨幣によって出金処理を完了することが可能な場合があるのに対し、特定の収納部が満杯になって、当該収納部に貨幣を収納することができなくなったときには、その収納部の貨幣を回収しない限り、入金処理ができなくなるためである。このように回収処理をできるだけ回避するように初期在高を設定することは、貨幣処理装置の運用を効率化する場合がある。
【００２７】
これとは異なり、前記貨幣処理装置が、前記収納部から溢れた前記貨幣を収納するオーバーフロー収納部をさらに備えているときには、前記初期在高の適正範囲は、（１）前記最小在高が前記最小容量を超える、（２）前記初期在高が前記ニアエンプティ容量を超える、（３）前記最小在高が前記ニアエンプティ容量を超える、（４）前記最大在高が前記最大容量を超えない、（５）前記初期在高が前記ニアフル容量を超えない、（６）前記最大在高が前記ニアフル容量を超えない、の順に優先順位が設定された複数の条件を満足するように決定する、としてもよい。
【００２８】
オーバーフロー収納部を備えているときには、仮に特定の収納部が満杯になっても、その後は、オーバーフロー収納部に貨幣を収納することが可能であるため、前記とは異なり、収納部が満杯になることをできるだけ回避する必要はない。従って、「最大在高が最大容量を超えない」や「最大在高がニアフル容量を超えない」といった条件の優先順位は、相対的に低くなる。こうして、複数の条件の優先順位を適切に設定することによって、貨幣処理装置の構成に応じて収納部の初期在高が最適化し、貨幣処理装置の運用が効率化する。
【００２９】
ここに開示する装置は、入金処理時に貨幣を収納し、出金処理時に収納している前記貨幣を繰り出す収納部を備えた貨幣処理装置である。
【００３０】
この貨幣処理装置では、前記収納部の前記貨幣の初期在高が設定されており、貨幣処理装置は、前記入金処理又は前記出金処理が行われることに伴い変化する前記収納部の在高の履歴を記憶するように構成された記憶部と、前記記憶部に記憶されている前記履歴に基づいて、前記収納部の前記初期在高を再設定するように構成された在高設定部と、再設定した前記初期在高となるように、所定のタイミングで、前記収納部に前記貨幣を補充する、又は、前記収納部内の前記貨幣を回収するように構成された補充・回収部と、を備えている。
【００３１】
前記在高設定部は、前記収納部が、前記初期在高の状態から満杯になるまでの期間、及び、前記初期在高の状態から空になるまでの期間が、それぞれ最も長くなるように、前記初期在高を再設定する、としてもよい。
【００３２】
前記在高設定部は、前記履歴から得られる所定のスパン内における前記収納部の最大在高、前記履歴から得られる前記所定のスパン内における前記収納部の最小在高、設定されている前記初期在高、前記収納部の最大容量、前記収納部の前記最大容量よりも所定量だけ少ないニアフル容量、前記収納部の最小容量、及び、前記収納部の前記最小容量よりも所定量だけ多いニアエンプティ容量、を比較要素としかつ、当該比較要素の大小関係を特定する複数の条件を満足するように前記初期在高の適正範囲を決定することによって、前記初期在高を再設定する、としてもよい。
【００３３】
前記在高設定部は、（１）前記最大在高が前記最大容量を超えない、（２）前記最小在高が前記最小容量を超える、（３）前記初期在高が前記ニアフル容量を超えない、（４）前記初期在高が前記ニアエンプティ容量を超える、（５）前記最大在高が前記ニアフル容量を超えない、（６）前記最小在高が前記ニアエンプティ容量を超える、の順に優先順位が設定された複数の条件を満足するように、前記初期在高の適正範囲を決定する、としてもよい。
【００３４】
前記貨幣処理装置は、前記収納部から溢れた前記貨幣を収納するオーバーフロー収納部をさらに備え、前記在高設定部は、（１）前記最小在高が前記最小容量を超える、（２）前記初期在高が前記ニアエンプティ容量を超える、（３）前記最小在高が前記ニアエンプティ容量を超える、（４）前記最大在高が前記最大容量を超えない、（５）前記初期在高が前記ニアフル容量を超えない、（６）前記最大在高が前記ニアフル容量を超えない、の順に優先順位が設定された複数の条件を満足するように、前記初期在高の適正範囲を決定する、としてもよい。
【００３５】
前記収納部は、前記貨幣を金種毎に収納する複数の金種別収納部を含み、前記記憶部は、前記金種別収納部毎に、前記履歴を記憶し、前記在高設定部は、前記金種別収納部毎に、前記初期在高を設定する、としてもよい。こうすることで、金種別収納部毎に初期在高が最適化する。
【００３６】
ここに開示するシステムは、入金処理及び出金処理を行う貨幣処理機と、当該貨幣処理機に接続された管理装置とを備えた貨幣処理システムであり、前記貨幣処理機は、前記入金処理時に貨幣を収納し、前記出金処理時に収納している前記貨幣を繰り出す収納部を備え、前記収納部の前記貨幣の初期在高が設定されており、前記管理装置は、前記入金処理又は前記出金処理が行われることに伴い変化する前記収納部の在高の履歴を記憶するように構成された記憶部と、前記記憶部に記憶されている前記履歴に基づいて、前記収納部の前記初期在高を再設定するように構成された在高設定部と、を備え、前記貨幣処理機はさらに、再設定した前記初期在高となるように、所定のタイミングで、前記収納部に前記貨幣を補充する、又は、前記収納部内の前記貨幣を回収するように構成された補充・回収部を備えている。
【発明の効果】
【００３７】
前記の貨幣処理方法、貨幣処理装置、及び、貨幣処理システムによれば、初期在高を最適化することができる。
【図面の簡単な説明】
【００３８】
【図１】紙幣入出金機の内部構造を示す概略図である。
【図２】紙幣入出金機の動作制御に係る構成を示す図である。
【図３】紙幣入出金機が有する（ａ）カウンタの一覧、（ｂ）記番号リストの一覧を例示する図である。
【図４】紙幣入出金機における記憶部が記憶する記番号リストの説明図である。
【図５】紙幣入出金機における直接入金処理の動作説明図である。
【図６】紙幣入出金機における出金処理の動作説明図である。
【図７】紙幣入出金機における回収処理の動作説明図である。
【図８】紙幣入出金機における入金口補充処理の動作説明図である。
【図９】紙幣入出金機におけるカセット補充処理の動作説明図である。
【図１０】入金過多の収納カセットについての初期在高の設定手順を説明する図である。
【図１１】出金過多の収納カセットについての初期在高の設定手順を説明する図である。
【図１２】入金過多の別の例において、回収カセットの有無による初期在高の最適値の相違を示す図である。
【図１３】出金過多の別の例において、回収カセットの有無による初期在高の最適値の相違を示す図である。
【図１４】初期在高の設定画面を例示する図である。
【図１５】回収カセットを備えない紙幣入出金機の内部構造を示す図１対応図である。
【発明を実施するための形態】
【００３９】
以下、本発明の実施形態を図面に基づいて詳細に説明する。ただし、以下の説明は、本質的に例示に過ぎず、本発明、その適用物あるいはその用途を制限するものではない。
【００４０】
紙幣処理装置は、紙幣を処理する多機能装置である。一般に、スーパーマーケットや銀行など、大量に現金が取り扱われる分野において用いられる。例えば、銀行の窓口などでの出納業務や、スーパーマーケットの売上金の管理業務などで、手間のかかる現金の入金や出金、計数、保管管理等の処理に用いられ、紙幣処理装置を用いることで、これら作業の高精度化、効率化を図ることができる。ここで説明する紙幣処理装置は、特に銀行のテラーカウンターに設置された紙幣入出金機として用いられる。従って、この紙幣入出金機を操作するユーザ（又はオペレータ）は、基本的にはテラーである。
【００４１】
ここで、以下の説明に登場する用語を定義する。「正常紙幣」とは、後述する識別部によって識別可能な紙幣をいい、「リジェクト紙幣」とは、識別部で識別不能な紙幣をいう。「正券」とは、正常紙幣のうち、汚れや破れ等が比較的少ない状態の紙幣をいい、「損券」とは、正常紙幣のうち、汚れや破れ等が比較的多い状態の紙幣をいう。
【００４２】
図１に、紙幣入出金機１Ａ（以下、単に入出金機１Ａともいう）を示す。この入出金機１Ａは、いわゆる循環式の入出金機であり、出金処理時に払い出す紙幣には、入金処理時に収納部３に収納した紙幣が含まれる。図１においては仮想的に示すように、入出金機１Ａは、ＬＡＮやＷＡＮ等のネットワークを介して、又は、直接的に、管理装置としての上位端末Ｔ等と通信可能に接続し、システム化して用いることができる（紙幣入出金システムＳ）。入出金機１Ａに接続される上位端末は１台だけでなく、複数台に接続し、いずれか一つの上位端末を選択的に切り替えて用いることができる。
【００４３】
入出金機１Ａは、上部の処理部１１と、中間部の第１金庫部１３と、下部の第２金庫部１４とに大別される。処理部１１を構成する筐体１１１内には、入金口２１１を有する入金部２１と、第１及び第２出金口２３１、２３２を有する出金部２３と、紙幣の識別を行う識別部２５と、一時的に紙幣を収納する出金リジェクト一時保留部５１と、入金部２１、出金部２３、識別部２５及び出金リジェクト一時保留部５１を相互に連結するループ搬送路４１１を含む搬送部４１と、が配設されている。一方、処理部１１を構成する筐体１１１の下側に配置される筐体１３１は、第１及び第２金庫部１３、１４を構成する筐体であり、その内部に格納している収納部３等を、所定以上のセキュリティレベルで防護するように構成されている（防護筐体１３１ともいう）。
【００４４】
第１金庫部１３には、複数の（図例では４個の）スタック式の収納カセット３１を含んで構成された収納部３と、同じくスタック式の精査カセット３３とが配設され、第２金庫部１４には、回収カセット５３が配設されている。防護筐体１３１の前面には、第１金庫部１３を開閉するための第１開閉扉と、第２金庫部１４を開閉するための第２開閉扉とがそれぞれ個別に設けられている。
【００４５】
入金口２１１は、例えば入金処理の際に入金する紙幣を投入するための口である。入金口２１１は、処理部側筐体１１１の上面において上向きに開口していて、複数枚の紙幣を一度に受け入れ可能に構成されている。入金部２１はまた、入金口２１１に投入された複数枚の紙幣を、一枚ずつ、ループ搬送路４１１に繰り出す繰り出し機構を備えている。
【００４６】
第１及び第２出金口２３１、２３２はそれぞれ、例えば出金処理の際に紙幣を払い出すための口である。これらの出金口２３１、２３２は、入金口２１１よりも奥行き方向の手前側の、処理部側筐体１１１における上面から前面にかけての位置で前後に並んでかつ、斜め上方に向かって開口している。これら第１及び第２出金口２３１、２３２は、搬送されてきた紙幣を集積し、複数枚の紙幣を一度に保持可能なリフトを有している（図示省略）。リフトは、リフト機構により、紙幣の抜き取り可能な払出位置と、紙幣の抜き取り不能な待機位置とに移動する。
【００４７】
識別部２５は、ループ搬送路４１１上に配設されて、そのループ搬送路４１１に沿って搬送される紙幣の一枚一枚について、その真偽、金種及び正損を識別するように構成されている。具体的には、画像センサ、赤外線センサ、紫外線センサ、及び磁気センサ等の、紙幣の特徴を取得するセンサを搭載し、搬送される紙幣の特徴が、記憶している各種紙幣の特徴と一致するかを判定し、金種、真偽、及び正損を識別する。本入出金機１Ａの識別部２５はまた、紙幣に印字されている記番号を光学的に読み取る機能を有している。ここで、記番号の読み取りは、紙幣における所定の位置に印字されている記番号の画像を取得し、その取得した画像に基づいて、記番号の各桁の文字や数字を認識することである。尚、識別部２５が記番号の読み取りを行うのではなく、識別部２５とは別の読取部を、例えばループ搬送路４１１上に配置してもよい。また、識別部２５におけるセンサ以外の機能を、後で述べる制御部５１３が行ってもよい。
【００４８】
搬送部４１は、処理部側筐体１１１内においてエンドレスに設けられたループ搬送路４１１を備えている。紙幣は、このループ搬送路４１１に沿って図１における時計回り方向及び反時計回り方向に搬送される。このループ搬送路４１１は、図示は省略するが、多数のローラ、複数のベルト、これらを駆動するモータ、搬送される紙幣を検出するセンサ及び複数のガイドの組み合わせによって構成されている。ループ搬送路４１１は、その搬送路に沿って、紙幣と紙幣との間に所定間隔を隔てた状態で、紙幣を一枚ずつ短手搬送する。ループ搬送路４１１と入金口２１１との間は、投入路４１３によって互いに接続されており、入金口２１１に投入された紙幣は、この投入路４１３を通ってループ搬送路４１１まで搬送される。
【００４９】
ループ搬送路４１１には、４つの収納カセット３１のそれぞれに接続される分岐路４１７が、図示省略の分岐機構を介して接続されており、各分岐機構の動作制御によって、ループ搬送路４１１上を搬送されている紙幣が選択的に、分岐路４１７を通じて４つの収納カセット３１のいずれかに搬送されてそこに収納されると共に、いずれかの収納カセット３１から繰り出された紙幣が、分岐路４１７を介してループ搬送路４１１に搬送されるようになる。
【００５０】
ループ搬送路４１１にはまた、第１及び第２払出路４１５、４１６が、紙幣の搬送方向を切り替える分岐機構（図示省略）を介してそれぞれ接続されている。第１払出路４１５の先端は、第１出金口２３１に接続され、第２払出路４１６の先端は、第２出金口２３２に接続されている。各分岐機構は、互いに異なる３方向に延びる搬送路の集合位置において、所定方向から搬送されてくる紙幣を、それとは別の２方向それぞれに選択的に搬送させるように動作する。分岐機構の具体的な構成は、国際公開第２００９／０３４７５８号に例示されている。この構成によって、ループ搬送路４１１上を搬送されている紙幣は、分岐機構の動作制御によって選択的に、第１又は第２払出路４１５、４１６を通って第１又は第２出金口２３１、２３２に搬送される。
【００５１】
ループ搬送路４１１にはさらに、精査カセット３３に接続される第１接続路４１８と、回収カセット５３に接続される第２接続路４１９とが、それぞれ図示省略の分岐機構を介して接続されている。この内、第２接続路４１９は、第１金庫部１３を上下に貫通するように延びて配設されており、その途中に分岐路４１１０が設けられている。この分岐路４１１０は、後述する第４収納カセット下部３１−４Ｌに接続されている。
【００５２】
これら第１接続路４１８及び第２接続路４１９の接続位置に設けられた各分岐機構もまた、互いに異なる３方向に延びる搬送路の集合位置において、所定方向から搬送されてくる紙幣を、それとは別の２方向それぞれに選択的に搬送させるように動作する。この構成によって、ループ搬送路４１１上を時計回り方向又は反時計回りに搬送されている紙幣は、分岐機構の動作制御によって選択的に、第１接続路４１８を通って精査カセット３３に搬送されるか、第２接続路４１９を通って、第４収納カセット下部３１−４Ｌ又は回収カセット５３に搬送される。また、精査カセット３３又は第４収納カセット下部３１−４Ｌから繰り出されかつ、第１又は第２接続路４１８、４１９を通って搬送されてきた紙幣が、ループ搬送路４１１上で時計回り又は反時計回り方向に搬送される。
【００５３】
収納部３は、前述したように、図例では第１−第４のスタック式の収納カセット３１を含んで構成されている。ここで、以下の説明において、各々の収納カセットを総称する場合には、符号「３１」を付し、第１、第２、第３…の、各々の収納カセットを区別する場合には、符号「３１−１、３１−２、３１−３…」を付す。尚、収納カセット３１の数は特に限定されず、１個以上で、適宜の数を設定すればよい。４個の収納カセット３１は、この例では、装置の奥行き方向に並んで配設されている。
【００５４】
詳細な図示は省略するが、収納部３は、第１金庫部１３の開閉扉を開けた状態で、装置の手前に引き出すことができる。収納部３を引き出した状態で、各収納カセット３１はそれぞれ、装置に対して取り外し、取り付けができるように構成されている。
【００５５】
各収納カセット３１の内部には、そこに集積される紙幣の量に応じて昇降する集積台３１１が配設されている。第１−第３収納カセット３１−１、３１−２、３１−３は、ループ搬送路４１１から、各カセットの出入口を通ってその内部に送り込まれた紙幣を、集積台３１１の上で、下から上の順に積み重ねて収納するように構成され、かつ、集積台３１１上に積み重ねられた紙幣を、上から下の順に一枚ずつ出入口を通じてループ搬送路４１１に繰り出すことが可能に構成されている。第１−第３収納カセット３１−１、３１−２、３１−３は、互いに同じ容量に設定されている。
【００５６】
これに対し、第４収納カセット３１−４は、その内部に仕切りが設けられており、これによって第４収納カセット３１−４は、上側のカセット上部（第４収納カセット上部３１−４Ｕ）と、下側のカセット下部（第４収納カセット下部３１−４Ｌ）に分割されている。従って、第４収納カセット上部３１−４Ｕ及び第４収納カセット下部３１−４Ｌはそれぞれ、第１−第３収納カセット３１−１、３１−２、３１−３よりも少ない容量に設定されている。
【００５７】
第４収納カセット上部３１−４Ｕの出入口は、その上面に形成されている。第４収納カセット下部３１−４Ｌの出入口は、その側面に形成されている。収納カセット上部３１−４Ｕの出入口には、ループ搬送路４１１から分岐した分岐路４１７が接続され、収納カセット下部３１−４Ｌの出入口には、第２接続路４１９から分岐した分岐路４１１０が接続されている。
【００５８】
これにより、第４収納カセット上部３１−４Ｕは、第１収納カセット３１−１等と同様に、紙幣を収納、繰り出すことが可能に構成されている。対して、第４収納カセット下部３１−４Ｌは、ループ搬送路４１１から、第２接続路４１９を通ってその内部に送り込まれた紙幣を、集積台３１１の上で、下から上の順に積み重ねて収納するように構成され、かつ、集積台３１１上に積み重ねられた紙幣を、上から下の順に一枚ずつ第２接続路４１９及びループ搬送路４１１に繰り出すことが可能に構成されている。
【００５９】
精査カセット３３は、各収納カセット３１の精査処理に利用されるカセットであり、各収納カセット３１に収納している紙幣を全て収納することが可能となるように、収納カセット３１と同じかそれよりも大きい容量を有している。精査カセット３３は、精査処理時以外の通常時は、空である。精査カセット３３は、第１金庫部１３内において、第２接続路４１９を挟んだ第４収納カセット３１−４とは反対側の位置において、筐体１３１に対し着脱可能に取り付けられている。
【００６０】
この精査カセット３３は、収納カセット３１と同様にスタック式であり、収納カセット３１と同様に、その上面に出入口が形成され、その内部には集積台３３１が設けられている。精査カセット３３の出入口は、前述の通り、第１接続路４１８に接続されており、精査カセット３３は、ループ搬送路４１１から出入口を通ってカセット内に送り込まれた紙幣を、集積台３３１の上に、下から上の順に積み重ねて収納すると共に、集積台３３１上に積み重ねられている紙幣を、上から下の順に一枚ずつ出入口を通じてループ搬送路４１１に繰り出すことが可能に構成されている。尚、この精査カセット３３を、精査処理用の精査カセットとして構成する代わりに、収納カセット３１の一つ（第５収納カセット）として構成してもよい。
【００６１】
出金リジェクト一時保留部５１は、第２出金口２３２に接続される第２払出路４１６の途中からさらに分岐した分岐路に接続されている。この出金リジェクト一時保留部５１は、例えば出金処理時に発生したリジェクト紙幣を一時的に収納する収納部である。出金リジェクト一時保留部５１は、スタック式の収納カセット３１等とは異なり、巻き取り方式に構成されている。
【００６２】
つまり、この巻き取り方式の出金リジェクト一時保留部５１は、特開２０００−１２３２１９号公報に例示されるように、概略矩形箱状の筐体内に、紙幣をガイドする一枚のテープ、ガイド部材、及び、紙幣と共にテープを巻き取るリールを備えて構成されるか、又は、本件出願人が先に出願したＰＣＴ／ＪＰ２００９／０６６７２９に例示されるように、筐体内に、紙幣を挟む２枚のテープ、及び、紙幣を挟み込んだ２枚のテープを巻き取るリールを備えて構成される。いずれの構成においても、巻き取り方式の出金リジェクト一時保留部５１は、紙幣を一枚ずつ巻き取って収納すると共に、その収納した順番とは逆順で、紙幣を一枚ずつ繰り出す、いわゆる先入れ後出しとなるように紙幣を収納する。
【００６３】
回収カセット５３は、第２金庫部１４内に着脱可能に取り付けられており、前述したように、第２接続路４１９を介してループ搬送路４１１に接続されている。回収カセット５３はスタック式の収納部であるが、前述した収納カセット３１や精査カセット３３とは異なり、装置の奥行き方向に細長い形状を有しており、図示は省略するが、その内部に奥行き方向に移動する札押さえを備えている。回収カセット５３は、その札押さえが紙幣の収納量に応じて移動をしながら、立てた姿勢の紙幣を奥行き方向に並べるように収納するよう構成されている。
【００６４】
回収カセット５３はまた、収納カセット３１や精査カセット３３とは異なり、収納している紙幣を繰り出し不可に構成されている。回収カセット５３には、例えば入金処理時に入金口２１１に投入された紙幣のうち、収納部３に収納しきれなかった紙幣（オーバーフロー紙幣）が収納される。また、出金処理時等に識別不可であったリジェクト紙幣が、この回収カセット５３に収納される場合がある。
【００６５】
図２は、入出金機１Ａの動作制御に係る構成を示している。入出金機１Ａは、例えば周知のマイクロコンピュータをベースとした制御部５１３を備えている。制御部５１３には、前述した入金部２１、出金部２３、第１−第４収納カセット３１を含む収納部３、精査カセット３３、出金リジェクト一時保留部５１、回収カセット５３、及び搬送部４１が、信号の送受信可能に接続されている。これらの各部２１，２３，３，３３，４１，５１，５３は、例えば図１に示す、収納カセット３１、精査カセット３３及び回収カセット５３の出入口に設けられかつ、紙幣の通過を検知する通過センサ３１２のような、搬送中の紙幣を検知するといった機能を有する各種のセンサを含んでおり、各種センサの検知信号は制御部５１３に入力される。制御部５１３は、入力された検知信号等に基づいて制御信号を出力し、各部２１，２３，３，３３，４１，５１，５３は、その制御信号に従って動作する。
【００６６】
制御部５１３にはまた、識別部２５が接続されており、識別部２５は、識別結果及び記番号の読み取り結果を制御部５１３に提供する。さらに、入出金機１Ａを操作するオペレータに対するヒューマンインターフェース部分としての操作部５５が接続されている。例えばＬＡＮやシリアルバスを通じて、入出金機１Ａが上位端末等との間で信号の送受信を行うための通信部５７も制御部５１３に接続されている。各種の情報を記憶するための、例えばハードディスクドライブやフラッシュメモリ等の汎用のストレージデバイスにより構成される記憶部５９も制御部５１３に接続されている。
【００６７】
記憶部５９は、入出金機１Ａが収納している紙幣の金種別枚数又は金額である在高を少なくとも記憶する。また、記憶部５９は、収納カセット３１毎の在高も記憶する。具体的には、記憶部５９はカウンタを有し、各カセットへの紙幣の収納時及び各カセットからの紙幣の繰出時に、リアルタイムに紙幣のカウントを行う現物在高として、各収納カセット３１や精査カセット３３、回収カセット５３毎にカウンタが設定される。また、入金処理や出金処理が完了したときにも機内在高としてカウンタが設定される。
【００６８】
図３の（ａ）は、この入出金機１Ａの記憶部５９に設定されているカウンタの一覧を示している。各カセット３１、３３，５３への紙幣の収納時及び各カセット３１、３３，５３からの紙幣の繰出時に、リアルタイムに紙幣のカウントを行う現物在高として、第１−第４収納カセット３１、精査カセット３３及び回収カセット５３毎にカウンタが設定されている。各カウンタには、１２８金種が設定されかつ、１金種につき２バイトのサイズが割り当てられている。また、入金処理や出金処理が完了したときにカウントを行う機内在高として、１２８金種でかつ、１金種につき２バイトのサイズが割り当てられたカウンタが設定されている。これらのカウンタは、通過センサ３１２の検知結果に基づいて増減する。
【００６９】
また、この入出金機１Ａでは、紙幣の管理を記番号を利用して行うように構成されており、記憶部５９は、例えば図４に例示するように、各部に収納している紙幣の記番号を、その収納順に並べると共に、各々の記番号を、その収納枚数に対応する通し番号に関連付けた記番号リストＬを記憶している。図３の（ｂ）は、この記番号リストの一覧を示している。第１−第４収納カセット３１及び精査カセット３３については、それぞれ３０００枚分で、紙幣一枚につき１６バイトのサイズが割り当てられている。回収カセット５３については、５０００枚分で、紙幣一枚につき１６バイトのサイズが割り当てられ、出金部２３については、２２０枚分で、紙幣一枚につき１６バイトのサイズが割り当てられ、出金リジェクト一時保留部５１については、５２０枚分で、紙幣一枚につき１６バイトのサイズが割り当てられている。
【００７０】
例えば、各収納カセット３１のカウンタは、その出入口を通過する紙幣を通過センサ３１２が検知することで、その紙幣の金種の情報に基づき、その収納カセット３１の在高におけるその金種の枚数を加算又は減算する。各収納カセット３１の記番号も、その出入口を通過する紙幣を通過センサ３１２が検知することで、その紙幣の記番号情報に基づき、その収納カセット３１の記番号リストＬに順に記憶、又は削除する。カウンタや記番号リストＬの更新は、後述する入金処理及び出金処理、並びに、回収処理及び補充処理等、適宜、各処理の終了後に行われる。
【００７１】
また、記憶部５９は、入出金機１Ａにおいて実行された各種処理の履歴をログとして記憶する。これにより、後述の通り、各種の処理が行われる度に変化する、各収納カセット３１の在高の履歴が、記憶部５９に記憶される。
【００７２】
入出金機１Ａには、各種の情報を表示するため、フラットパネルディスプレイからなる表示部５１１が装着可能に構成されている（図１も参照）。この表示部５１１もまた、制御部５１３に接続される。表示部５１１をタッチパネル式のディスプレイとして、表示部５１１と操作部５５とを一体にしてもよい。
【００７３】
制御部５１３は、通信部５７を通じて受けた上位端末からの指令、及び／又は、操作部５５を通じて受けた各種の指令に応じて、各部２１，２３，２５，３，３３，４１，５１，５３，５５，５７，５９，５１１の動作を制御する。
【００７４】
（直接入金処理）
直接入金処理は、入出金機１Ａに入金（収納）された正常紙幣を直接的に収納カセット３１に収納する処理である。投入口２１１に投入された紙幣は、識別部２５による識別結果と、予め設定された収納割当とに従って、いずれかの収納カセット３１に収納される。
【００７５】
図５に、入金処理時における入出金機１Ａの動作を示す。入金する紙幣を投入口２１１に投入した状態で、例えば操作部５５や上位端末等の操作によって入金処理の開始コマンドを、入出金機１Ａに入力する。入金部２１の繰り出し機構は、同図に矢印（実線）で示すように、投入口２１１の紙幣を一枚ずつ繰り出し、搬送部４１は、各紙幣を識別部２５に搬送する。識別部２５は、その紙幣の識別や計数、記番号の読み取り（これらを包括的に識別ともいう）を行う。
【００７６】
搬送部４１はまた、正常紙幣であって、記番号を全桁読み取ることができた紙幣を、同図に矢印（実線）で示すように、その識別結果及び予め設定された収納割当に従って、所定の収納カセット３１に収納する。すなわち、各紙幣は、金種別や正損別に応じて、第１〜第４のいずれかの収納カセット３１に収納される。
【００７７】
尚、収納カセット３１に割り当てが設定されていない金種の紙幣（正常紙幣）や損券は回収カセット５３に収納される。また、割り当てが設定されている収納カセット３１が満杯であるとき等にも、回収カセット５３に正常紙幣が収納される。
【００７８】
一方、搬送部４１は、リジェクト紙幣（本機種では、記番号の全桁が識別できない紙幣も含む）を、同図に矢印（破線）で示すように、第２出金口２３２に払い出す。尚、入金処理時に発生したリジェクト紙幣は、投入口２１１に再度投入され、識別部２５による識別が、もう一度行われることになる。
【００７９】
また、入金処理時に、収納カセット３１及び回収カセット５３が共に満杯になることに起因して、収納することができなくなった紙幣は、同図に矢印（破線）で示すように、第１出金口２３１に払い出される。尚、リジェクト紙幣を、第１出金口２３１に払い出すようにし、収納することができなくなった紙幣を、第２出金口２３２に払い出すようにしてもよい。
【００８０】
そうして、入金処理の終了後には、記憶部５９に記憶している在高が更新される。それと共に、各収納カセット３１に収納している紙幣の記番号を収納順に並べた記番号リストＬが、紙幣の収納に応じて更新される。この記番号リストＬにおける記番号の並びは、紙幣が識別部２５を通過した順番に従うことになる。
【００８１】
（出金処理）
出金処理は、入出金機１Ａに収納されている正常紙幣を払い出す処理である。図６に、その動作を示す。具体的には、上位端末等において、出金金額を指定して最小構成枚数の金種と枚数を自動的に指定するか、或いは金種と枚数を直接指定するかをする、所定の出金操作を行うことによって、出金処理は開始する。収納部３は、同図に矢印（実線）で示すように、指定された金種の紙幣を、それが収納されている収納カセット３１から、指定された枚数だけ繰り出す。搬送部４１は、繰り出された紙幣を識別部２５に搬送し、識別部２５が識別と、記番号の読み取りとを行った後に、正常紙幣は、第１出金口２３１に払い出される。
【００８２】
出金処理時に発生するリジェクト紙幣は、同図に矢印（破線）で示すように、出金リジェクト一時保留部５１に搬送され、収納される。出金リジェクト一時保留部５１に収納された紙幣は、必要に応じて、出金処理の終了後に、各収納カセット３１又は回収カセット５３に収納される。
【００８３】
一連の処理が終了すると、上位端末等からの指示により、リフトが払出位置に移動し、第１出金口２３１に払い出された紙幣は、紙幣の抜き取り待ちとなる。紙幣が抜き取られると、リフトは待機位置に移動する。
【００８４】
出金処理の終了後には、記憶部５９に記憶している在高が更新される。それと共に、各収納カセット３１に収納している紙幣の記番号を収納順に並べた記番号リストが、紙幣の収納に応じて更新される。
【００８５】
（回収処理）
回収処理は、収納カセット３１に収納されている紙幣を、回収カセット５３に搬送する処理である。図７に、その動作を示す。具体的には、上位端末等において、所定の操作を行うことにより、回収処理は開始する。指定された金種を収納する収納カセット３１が、第１〜第３の収納カセット３１−１、３１−２、３１−３又は第４収納カセット上部３１−４Ｕであるときには、図７に矢印（実線）で示すように、収納部３は、指定された金種の紙幣を、それが収納されている収納カセット３１から順次繰り出す。搬送部４１は、繰り出された紙幣を識別部２５に搬送する。識別部２５が識別を行った後に、正常紙幣は、ループ搬送路４１１から第２接続路４１９を通って回収カセット５３へと搬送され、そこに収納される。リジェクト紙幣は、同図に矢印（破線）で示すように出金リジェクト一時保留部５１に収納される。
【００８６】
指定された金種の紙幣が、第４収納カセット下部３１−４Ｌに収納されているときには、図示は省略するが、搬送部４１は、第４収納カセット下部３１−４Ｌから繰り出された紙幣を、第２接続路４１９からループ搬送路４１１を通じて識別部２５に搬送する。識別部２５が識別を行った後に、正常紙幣は、精査カセット３３へと搬送する。リジェクト紙幣は、出金リジェクト一時保留部５１に収納される。そうして、第４収納カセット下部３１−４Ｌから繰り出された紙幣が全て精査カセット３３に収納された後、精査カセット３３は紙幣を一枚ずつ繰り出す。搬送部４１は、その紙幣をループ搬送路４１１から第２接続路４１９を通って回収カセット５３へと搬送する。こうして、回収カセット５３内に、第４収納カセット下部３１−４Ｌ内の紙幣が収納される。
【００８７】
（残置回収処理）
残置回収処理は、指示された金種の紙幣を、指示された枚数だけ残して、その他を回収する処理である。残置回収処理は、収納カセット３１ごとに１金種ずつ行われる。こうした残置回収処理は、例えば業務終了後に行われ、それによって翌日（正確には次の営業日）の業務開始時には、各収納カセット３１内には、指示された枚数の紙幣を収納した状態になっている。また、残置回収処理は、業務中であっても収納カセット３１が満杯になったとき、又は、収納カセット３１の最大容量よりも所定量だけ少ないニアフル状態となったときに実行されることがある。尚、このような残置回収処理を行った後や、後述する補充処理を行った後の収納カセット３１の在高を、以下において初期在高と呼ぶ場合がある。
【００８８】
残置回収処理は、上位端末等において、金種又はその金種を収納する収納カセット３１の指定を行うことにより、開始する。残置回収処理の際に、初期在高を設定する操作を行うようにしてもよい。尚、初期在高は、予め設定しておいてもよい。尚、初期在高の設定の詳細は後述する。
【００８９】
残置回収処理では、図７に示す回収処理と同様に、指定された金種の紙幣が収納カセット３１から繰り出されるが、前述した回収処理とは異なり、残置回収処理では、識別部２５で正券と識別された紙幣は出金リジェクト一時保留部５１へと搬送され、そこに収納される。一方、リジェクト紙幣は、回収カセット５３に搬送されて、そこに収納される。
【００９０】
指定された初期在高分の正券が一時保留部５１に収納された時、それを超える正券は回収カセット５３に搬送されて収納される。
【００９１】
そうして、指定された収納カセット３１内の紙幣が全て繰り出されれば、一時保留部５１に収納された紙幣が繰り出されて、逆の搬送経路を経て搬送され、元の収納カセット３１に収納される。そして、処理対象の金種について残置回収処理が終了した旨が記録される。
【００９２】
（入金口補充処理）
入金口補充処理は、収納カセット３１に外部から紙幣を補充する処理である。正券のみを各収納カセット３１に補充することができる。具体的には、図８に示すように、入金口２１１に投入された紙幣を識別し、入出金機１Ａが取り扱う金種の正券のみを該当する収納カセット３１に収納し、それ以外の紙幣、例えば損券やリジェクト紙幣は第１出金口２３１や第２出金口２３２に払い出す。
【００９３】
入金口補充処理における入出金機１Ａ内での動作は、直接入金処理と基本的には同様である。ただし、搬送部４１は、同図に矢印（実線）で示すように、識別部２５において入出金機１Ａが取り扱う金種の正券と識別された紙幣のみを該当する各収納カセット３１に搬送する。搬送部４１は、それ以外の紙幣、例えば損券やリジェクト紙幣、取り扱い対象外の紙幣であると識別部２５で識別された紙幣は、同図に矢印（太実線）で示すように、第２出金口２３２に搬送する。搬送部４１はまた、再度識別しても入出金機１Ａに収納できない紙幣、例えば収納カセット３１に設定されている金種以外の金種の紙幣や、収納先の収納カセット３１が満杯である紙幣については、同図に矢印（破線）で示すように、第１出金口２３１に搬送する。
【００９４】
（精査カセット補充処理）
精査カセット補充処理は、精査カセット３３に収納されている紙幣を識別し、入出金機１Ａに設定されている金種のうち、正券のみを該当する収納カセット３１に収納し、それ以外の紙幣は第２出金口２３２に払い出す処理である。精査カセット補充処理によれば、精査カセット３３に補充したい紙幣をまとめて収納し、一括して該当する収納カセット３１に補充することができる。
【００９５】
具体的には、上位端末等で所定の操作が行われることにより、精査カセット補充処理が開始され、精査カセット補充指示待ちの状態となる。オペレータは第１開閉扉を開いて、精査カセット３３に補充する紙幣をセットし、第１開閉扉を閉じて元の状態に戻す。そうすると、上位端末等から精査カセット補充指示により、補充処理が開始する。
【００９６】
図９に、精査カセット補充処理における入出金機１Ａの動作を示す。同図に示すように、搬送部４１は、同図に矢印（実線）で示すように、精査カセット３３から紙幣を繰り出し、識別部２５に搬送する。搬送部４１はまた、正券であって、記番号を全桁読み取ることができた紙幣を、同図に矢印（実線）で示すように、その識別結果や予め設定された収納割当に従って、所定の収納カセット３１に収納する。損券やリジェクト紙幣や設定外金種の紙幣は、同図に矢印（破線）で示すように、第１出金口２３１又は第２出金口２３２に払い出す。例えば、損券は第２出金口２３２に払い出し、その他のリジェクト紙幣等は第１出金口２３１に選択的に払い出す。
【００９７】
尚、第１出金口２３１等に搬送する搬送路は、精査カセット３３から繰り出される搬送路と一部重複している。従って、識別部２５においてリジェクト紙幣と識別された場合には、一旦、精査カセット３３からの紙幣の繰り出し処理を中断し、リジェクト紙幣を第１出金口２３１等に搬送した後に精査カセット３３からの紙幣の繰り出し処理を再開する。
【００９８】
こうした入金口補充処理や精査カセット補充処理によって、収納カセット３１内に収納される紙幣の枚数は、後述する初期在高の設定により設定された初期在高に従って、決定される場合がある。つまり、設定された初期在高と、収納カセット３１の在高とを比較して、不足分の紙幣が入金口補充処理や精査カセット補充処理によって収納カセット３１に収納される。
【００９９】
入金口補充処理や精査カセット補充処理は、例えば業務終了後に行われ、それによって翌日（正確には次の営業日）の業務開始時には、各収納カセット３１が初期在高に設定されることになる。入金口補充処理や精査カセット補充処理を、業務開始前に行ってもよい。また、入金口補充処理や精査カセット補充処理は、業務中であっても収納カセット３１が空になったとき、又は、収納カセット３１の最小容量よりも所定量だけ多いニアエンプティ状態となったときに実行されることがある。
【０１００】
（初期在高の設定）
こうした入出金機１Ａにおいて、窓口業務中に、いずれかの収納カセット３１が満杯になったり、いずれかの収納カセット３１が空になったりしたときには、該当する収納カセット３１について回収処理を行ったり、補充処理を行ったりしなければならない。こうした回収処理や補充処理は、窓口業務を一旦中断して行うことになるため、窓口業務の停滞を招くという不都合がある。
【０１０１】
ここで、業務中に収納カセット３１が満杯になってしまうような場合は、業務開始時における収納カセット３１の初期在高を比較的少なくしておけば、収納カセット３１が満杯になってしまうまでの期間が長くなって、業務中に回収処理が必要となる事態を避けることができる可能性がある。同様に、業務中に収納カセット３１が空になってしまうような場合は、業務開始時における収納カセット３１の初期在高を比較的多くしておけば、収納カセット３１が空になってしまうまでの期間が長くなって、業務中に補充処理が必要となる事態を避けることができる可能性がある。
【０１０２】
そこで、この入出金機１Ａでは、各収納カセット３１の初期在高を最適化すべく、初期在高を自動で設定することが可能に構成されている。
【０１０３】
初期在高の自動設定は、収納カセット３１毎に行われ、入金処理及び出金処理の実行に伴い変化する、各収納カセット３１の在高の履歴に基づいて、初期在高が最適化される。
ここでいう「最適化」は、収納カセット３１が初期在高の状態から満杯になるまでの期間が最も長くなるようにかつ、収納カセット３１が初期在高の状態から空になるまでの期間が最も長くなるように、初期在高を設定することである。こうすることで、業務中の回収処理や補充処理をできるだけ回避することが可能になる。
【０１０４】
初期在高の設定に際し、ここでは、業務終了後に、前述した残置回収処理及び入金口補充処理又は精査カセット補充処理を実行することにより、次の業務開始時には、各収納カセット３１が所定の初期在高に設定されているとする。このような入出金機１Ａの運用において、業務開始から業務終了までの間に、収納カセット３１が満杯になったり、または、空になったりすることを回避する。
【０１０５】
初期在高の最適化のために、入出金機１Ａの記憶部５９は、前述の通り、入金処理や出金処理が行われる毎に、各収納カセット３１の在高を記憶する。つまり、各収納カセット３１の在高の履歴を記憶する。
【０１０６】
在高設定部としての制御部５１３は、業務の開始から終了までの１日の期間を、１スパンに設定し、記憶している履歴に基づいて、業務開始時の収納カセット３１の在高である初期在高、業務収容時の収納カセット３１の在高である終了在高、１スパン内において在高が最も高い最大在高、対象の１スパン内において在高が最も低い最小在高をそれぞれ算出する。初期在高、終了在高、最大在高及び最小在高は、初期在高の最適化に利用される。ここで、最大在高や終了在高は、仮に業務中に回収処理を行ったとしても、その回収処理を行わなかったと仮定した在高に基づいて演算する。そのため、ここで演算する最大在高は、収納カセット３１の最大容量を超える場合もあり得る。同様に、最小在高や終了在高は、仮に業務中に補充処理を行ったとしても、その補充処理を行わなかったと仮定した在高に基づいて演算する。そのため、ここで演算する最小在高は、収納カセット３１の最小容量を下回る（つまり、マイナスの値）になる場合がある。
【０１０７】
こうした、初期在高、終了在高、最大在高及び最小在高（これらを比較要素という場合がある）は、一日分の履歴データに基づいて演算してもよいが、バラツキの影響を無くし、最適化の精度を高める上では、複数日分の履歴データを平均した上で、比較要素を演算することが望ましい。平均化をする日数は、適宜の日数を設定すればよい。また、初期在高、終了在高、最大在高及び最小在高の演算に用いる履歴データは、例えば記憶している全データとしてもよいし、直近１週間、直近１ヶ月、又は、直近１年の履歴データというように、適宜のデータに限定してもよい。また、演算に用いる履歴データを、ユーザ（つまり、オペレータ）が、例えば操作部５５を操作することを通じて、任意に設定可能にしてもよい。
【０１０８】
そのようにして、比較要素を演算すれば、これらの比較要素に係る複数の条件を満足するように、初期在高の適正範囲を設定する。具体的には、回収カセット５３を備えている図１の紙幣入出金機１Ａでは、
（１）前記最小在高が、該当する収納カセット３１の最小容量を超える、
（２）前記初期在高が、該当する収納カセット３１のニアエンプティ容量を超える、
（３）前記最小在高が、前記ニアエンプティ容量を超える、
（４）前記最大在高が、該当する収納カセット３１の最大容量を超えない、
（５）前記初期在高が、該当する収納カセット３１のニアフル容量を超えない、
（６）前記最大在高が、前記ニアフル容量を超えない、
という順に優先順位が設定された複数の条件を満足するように、初期在高の適正範囲を設定する。この適正範囲の設定について、図１０、１１を参照しながら、詳細に説明する。図１０、１１は、初期在高の適正範囲の設定手順を説明する図であり、横軸は時間、縦軸は収納カセット３１の在高であって、業務開始から業務終了までの１日における、所定の収納カセット３１の在高の履歴を例示している。
【０１０９】
図１０の例では、業務開始時の初期在高と業務終了時の終了在高とを比較したときに、終了在高の方が高い。これは、出金処理で収納カセット３１内の紙幣が繰り出される紙幣量よりも、入金処理で収納カセット３１内に紙幣が収納される紙幣量の方が多いことを示し、入金過多の収納カセット３１ということができる。図例では、収納カセット３１の在高は、初期在高と終了在高とを繋ぐ破線に沿うように、時間の経過に対して概ね単調増加しており、入金過多の典型例である。
【０１１０】
尚、同図において「Ｆ」は収納カセット３１の最大容量（又はフル容量）、「ＮＦ」は収納カセット３１の最大容量よりも所定量だけ少ないニアフル容量、「Ｅ」は収納カセット３１の最小容量（又はエンプティ容量）、及び、「ＮＥ」は収納カセット３１の最小容量よりも所定量だけ多いニアエンプティ容量である。
【０１１１】
先ず、ステップＳ１０１では、最小在高（同図の黒丸参照）が収納カセット３１の最小容量（Ｅ）を超える、という条件を満足するように、初期在高の適正範囲を設定する。この条件により、初期在高の最小値が設定され、図例の両端矢印で示すように、初期在高の適正範囲が設定される。このとき、初期在高の最大は、収納カセット３１の最大容量である。最小在高が最小容量以下になることは、収納カセット３１が空になり、補充が必要になることを意味する。後述するように、回収カセット５３を備えている入出金機１Ａでは、収納カセット３１が満杯になるよりも、収納カセット３１が空になることを避けた方が、業務の効率が高まる。従って、回収カセット５３を備えている入出金機１Ａでは、初期在高の適正範囲を設定するに際し、最小在高が収納カセット３１の最小容量（Ｅ）を超える、という条件が最優先される。
【０１１２】
次に、ステップＳ１０２では、初期在高（同図の黒丸参照）が、収納カセット３１のニアエンプティ容量（ＮＥ）を超える、という条件を満足するように、初期在高の適正範囲を設定する。この条件により、図例では、初期在高の最小値が更新され、初期在高の適正範囲が、ステップＳ１０１で設定した適正範囲よりも狭くなる。尚、一点鎖線は、一つ前のステップ（ここではステップＳ１０１）において設定した初期在高の適正範囲を示している。
【０１１３】
ニアエンプティ容量は、収納カセット３１が空になることを未然に回避するために設定される容量であり、業務開始時の初期在高は、このニアエンプティ容量を超えておくことが望ましい。前述したように、回収カセット５３を備えた入出金機１Ａでは、収納カセット３１が満杯になることよりも、収納カセット３１が空になることを回避するようにした方が、業務効率が高まるため、この条件の優先順位は、相対的に高くなる。
【０１１４】
次に、ステップＳ１０３では、最小在高（黒丸参照）がニアエンプティ容量（ＮＥ）を超える、という条件を満足するように、初期在高の適正範囲を設定する。この条件により、図例では、初期在高の最小値が更新され、初期在高の適正範囲が、ステップＳ１０２で設定した適正範囲よりもさらに狭くなる。
【０１１５】
この条件は、業務開始時に限らず、業務中においても、収納カセット３１の在高がニアエンプティ容量よりも低くなることは、できるだけ回避することが望ましいために設定される。
【０１１６】
続くステップＳ１０４では、最大在高（同図の黒丸参照）が、収納カセット３１の最大容量（Ｆ）を超えない、という条件を満足するように、初期在高の適正範囲を設定する。この条件により、図例では、初期在高の最大値が更新され、初期在高の適正範囲が、ステップＳ１０３で設定した適正範囲よりもさらに狭くなる。
【０１１７】
前述したように、回収カセット５３を備えた入出金機１Ａでは、収納カセット３１が満杯になったとしても、溢れた紙幣は回収カセット５３に収納することができ、回収処理を回避することが可能であるため、初期在高の適正範囲を設定する上で、この条件の優先度は相対的に低くなる。
【０１１８】
ステップＳ１０５では、初期在高が、収納カセット３１のニアフル容量（ＮＦ）を超えない、という条件を満足するように、初期在高の適正範囲を設定する。図例では、この条件により、初期在高の適正範囲は変化しない。
【０１１９】
ニアエンプティ容量と同様に、ニアフル容量は、収納カセット３１が満杯になることを未然に回避するために設定される容量であり、業務開始時の初期在高は、このニアフルを超えないことが望ましい。
【０１２０】
ステップＳ１０６では、最大在高が、ニアフル容量（ＮＦ）を超えない、という条件を満足するように、初期在高の適正範囲を設定する。図例では、この条件により、初期在高の最大値が更新され、初期在高の適正範囲が、ステップＳ１０４、Ｓ１０５で設定した適正範囲よりもさらに狭くなる。業務開始時に限らず、業務中においても、収納カセット３１の在高がニアフルよりも高くなることは、できるだけ回避することが望ましい。
【０１２１】
こうして、前述した（１）〜（６）の６つの条件に基づき、これら６つの条件を全て満足する初期在高の適正範囲が設定される。この範囲内であれば、収納カセット３１が満杯になるまでの期間を最も長くしつつ、空になるまでの期間も最も長く設定することが可能になる。従って、基本的には、設定された範囲内で、初期在高を任意に設定することが可能である。一方、この入出金機１Ａでは、初期在高の適正範囲が設定されれば、初期在高と終了在高とを比較して、当該収納カセット３１が入金過多であるか（初期在高＜終了在高）、又は、出金過多であるか（初期在高＞終了在高）を判断し、図１０の例のように入金過多の収納カセット３１については、適正範囲における最小値を、初期在高に設定する（ステップＳ１０７参照）。こうすることで、入金過多の収納カセット３１においては、収納カセット３１が空になるよりも満杯になりやすい一方で、初期在高ができるだけ低く設定されるため、収納カセット３１が満杯になることがさらに回避される。これは、回収処理を回避する上でより有利になる。また、初期在高をできるだけ低く設定することは、少ない資金量で運用することになるため、資金効率が高まるという利点もある。
【０１２２】
図１１は、図１０とは異なる例として、業務開始時の初期在高と業務終了時の終了在高とを比較したときに初期在高の方が高くなる、出金過多の例を示している。図例では、収納カセット３１の在高は、初期在高と終了在高とを繋ぐ破線に沿うように、時間の経過に対して概ね単調減少しており、出金過多の典型例である。
【０１２３】
前記と同様に、ステップＳ１１１では、最小在高（同図の黒丸参照）が最小容量（Ｅ）を超える、という条件を満足するように、初期在高の適正範囲を設定する。この条件により、初期在高の最小値が設定され、図例の両端矢印で示すように、初期在高の適正範囲が設定される。このとき初期在高の最大は、収納カセット３１の最大容量である。
【０１２４】
次に、ステップＳ１１２では、初期在高（同図の黒丸参照）がニアエンプティ容量（ＮＥ）を超える、という条件を満足するように、初期在高の適正範囲を設定する。図例では、この条件により、初期在高の最小値は変更されない。
【０１２５】
次に、ステップＳ１１３では、最小在高（黒丸参照）がニアエンプティ容量（ＮＥ）を超える、という条件を満足するように、初期在高の適正範囲を設定する。図例では、この条件により初期在高の最小値が更新され、初期在高の適正範囲が、ステップＳ１１２で設定した適正範囲よりも狭くなる。
【０１２６】
続くステップＳ１１４では、最大在高（同図の黒丸参照）が最大容量（Ｆ）を超えない、という条件を満足するように、初期在高の適正範囲を設定する。この条件により、図例では、初期在高の最大値が更新され、初期在高の適正範囲が、ステップＳ１１３で設定した適正範囲よりもさらに狭くなる。
【０１２７】
ステップＳ１１５では、初期在高がニアフル容量（ＮＦ）を超えない、という条件を満足するように、初期在高の適正範囲を設定する。この条件により、図例では、初期在高の最大値が更新され、初期在高の適正範囲が、ステップＳ１１４で設定した適正範囲よりもさらに狭くなる。
【０１２８】
ステップＳ１１６では、最大在高がニアフル容量を超えない、という条件を満足するように、初期在高の適正範囲を設定する。この条件により、図例では、初期在高の最大値が更新され、初期在高の適正範囲が、ステップＳ１１５で設定した適正範囲よりもさらに狭くなる。
【０１２９】
こうして、前述した（１）〜（６）の６つの条件に基づき、これら６つの条件を全て満足する初期在高の適正範囲が設定される。図１１に示すような出金過多の収納カセット３１では、設定された適正範囲における最大値を、初期在高に設定する。こうすることで、出金過多の収納カセット３１においては、収納カセット３１が満杯になるよりも空になりやすい一方で、初期在高ができるだけ高く設定されるため、収納カセット３１が空になることがさらに回避される。これは、補充処理を回避する上でより有利になる。
【０１３０】
図１０及び図１１の例では、６つの条件を全て満足させる適正範囲を設定することが可能であったが、収納カセット３１の在高の変化によっては、６つの条件を全て満足させることができない場合もあり得る。そのような場合は、条件を満足させることができなくなった時点で、初期在高の適正範囲の設定を中止し、それまでの条件で設定された初期在高の適正範囲に従って、初期在高を設定する。
【０１３１】
例えば図１２は、基本的には入金過多であるが、収納カセット３１に対する入金量及び出金量が共に多く、在高の変化が大きい例を示している。この場合、同図に実線及び黒丸で示すように、最小在高がニアフル容量を超える、という３番目の条件を満足させたときに、最大在高は最大容量を超えることになるため、４番目の条件を満足させることができなくなる。従って、その時点で、適正範囲の設定を中止することになるため、図１２に実線で示すように、初期在高が設定されることになる。
【０１３２】
同様に、図１３は、基本的には出金過多であるが、収納カセット３１に対する入金量及び出金量が共に多く、在高の変化が大きい例を示している。この場合も同図に実線及び黒丸で示すように、最小在高がニアフル容量を超える、という条件を満足させたときに、最大在高は最大容量を超えるため、４番目の条件を満足させることができなくなる。従って、その時点で、適正範囲の設定を中止することになるため、図１３に実線で示すように、初期在高が設定されることになる。
【０１３３】
図１４は、上位端末Ｔや表示部５１１に表示される、初期在高の設定画面Ｓ１の例を示している。この画面Ｓ１には、入出金機１Ａの第１−第４の収納カセット３１−１、３１−２、３１−３、３１−４Ｕ、３１−４Ｌのそれぞれについて初期在高を入力する欄６０１が設けられている。オペレータは、操作部５５や上位端末を操作して、ここに初期在高を手入力することが可能である。
【０１３４】
設定画面Ｓ１にはまた、「ＡＵＴＯ」ボタン６０２が設けられており、これを操作したときには、入力欄６０１に、前述した手順に従い、過去の履歴に基づいて設定された各収納カセット３１の初期在高の最適値が、自動的に入力される。オペレータは、自動的に入力された初期在高の最適値を、そのまま利用することも、それを適宜修正することも可能である。
【０１３５】
こうして設定画面Ｓ１の各入力欄６０１に、初期在高を入力した状態で、「ＯＫ」ボタン６０３を操作することで、各収納カセット３１−１、３１−２、３１−３、３１−４Ｕ、３１−４Ｌの初期在高が設定される。初期在高を最適化したときには、業務開始から業務終了までの業務中に、収納カセット３１が満杯になったり、空になったりすることができるだけ回避され、業務中に回収処理や補充処理を行うことが、できる限り回避される結果、窓口業務の停滞が未然に回避される。
【０１３６】
図１４に示す設定画面Ｓ１にはまた、「オプション」ボタン６０３が設けられており、ここを操作したときには、初期在高の設定方法を変更することが可能になる。
【０１３７】
前述した例では、初期在高の設定に際し、業務開始から業務終了までの一日を１スパンに設定し、初期在高、終了在高、最大在高、及び、最小在高（それぞれ平均値）という比較要素を演算していたが、「オプション」ボタン６０３を操作したときに、このスパンを変更することが可能に構成されている。例えば１週間（窓口業務が行われる月曜日から金曜日までとしてもよい）を１スパンに設定したり、２週間を１スパンに設定したり、１ヶ月を１スパンに設定したり、１年を１スパンに設定すること等が可能に構成されている。また、警送会社による回収・補充業務のタイミングが予め定められているようなときには、その回収・補充が行われるタイミングに対応させるべく、警送会社による回収・補充が行われてから、次に回収・補充が行われるまでの期間を１スパンに設定することも可能に構成されている。
【０１３８】
また、前述したように、比較要素の演算に用いる履歴データの設定も、この「オプション」ボタン６０３を操作したときに可能であり、具体的には、履歴データを直近の１週間分に設定する、直近の１ヶ月分に設定する、直近の１年分に設定すること等を設定可能に構成されている。また、これまでに記憶している全履歴データを利用して初期在高を設定することも可能である。
【０１３９】
また、初期在高の設定方法の変更には、例えば初期在高を、曜日毎に最適化することも含まれる。つまり、「オプション」ボタン６０３を操作したときには、初期在高を曜日毎に最適化させることも可能になる。このような曜日毎の最適化を行うためには、前述した履歴データを、該当する曜日毎に抜き出して平均化し、初期在高、終了在高、最大在高、及び最小在高をそれぞれ演算すればよい。
【０１４０】
また、「オプション」ボタン６０３を操作したときには、決算日や給料日等の商取引上の慣習を考慮して初期在高を変えることも可能に構成されている。例えば五・十日等や、給料日に相当する毎月２５日等の特定の日を、１スパンとして設定し、記憶している履歴データから該当する日のデータを抜き出して平均化することで、初期在高、終了在高、最大在高、及び最小在高をそれぞれ演算することが可能である。また、そうした特定の日以外の日については、履歴データから該当する日のデータを除外して平均化することで、初期在高、終了在高、最大在高、及び最小在高をそれぞれ演算することが可能である。
【０１４１】
紙幣入出金機１Ａを稼働させれば、履歴データは蓄積されるため、比較要素である初期在高、終了在高、最大在高及び最小在高の値はそれぞれ更新され、それに伴い、初期在高の適正範囲及び初期在高の最適値も変わっていく。そこで、紙幣入出金機１Ａの電源をオンにする度に、初期在高の最適値を更新するようにしてもよいし、図１４に示す設定画面Ｓ１において「ＡＵＴＯ」ボタン６０２を操作するまでは初期在高の更新を行わずに、一旦、設定した初期在高を維持するようにしてもよい。
【０１４２】
（紙幣入出金機の他の構成）
図１５は、図１とは異なる構成の入出金機１Ｂを示しており、この入出金機１Ｂは、回収カセットを備えていない。つまり、各収納カセット３１から溢れた紙幣を収納するカセットがない。このような構成の入出金機１Ｂにおいては、初期在高の設定に際し、条件の優先順位が、前記の順番とは異なる。具体的には
（１）最大在高が、該当する収納カセット３１の最大容量を超えない、
（２）最小在高が、該当する収納カセット３１の最小容量を超える、
（３）初期在高が、該当する収納カセット３１のニアフル容量を超えない、
（４）初期在高が、該当する収納カセット３１のニアエンプティ容量を超える、
（５）最大在高が、ニアフル容量を超えない、
（６）最小在高が、ニアエンプティ容量を超える、
の順に優先順位が設定される。これは、回収カセットを備えていない入出金機１Ｂにおいては、収納カセット３１から溢れた紙幣を収納するカセットがなく、収納カセット３１が満杯になったときには、回収処理を実行しなければならなくなることに起因する。従って、最大在高が前記最大容量を超えない、という条件の優先順位は、回収カセットを備えている入出金機１Ａにおいては相対的に低くなるのに対し、回収カセットを備えていない入出金機１Ｂにおいては最も高くなる。つまり、回収カセットを備えている入出金機１Ａにおいては、収納カセット３１が満杯になることを回避するような条件の優先順位は、相対的に低くなるのである。
【０１４３】
このように条件の優先順位が異なる結果、同じ収納カセット３１であっても、回収カセットの有無により、異なる初期在高が設定される場合がある。例えば図１２に示す例においては、回収カセット５３があるときには、実線で示すように、最大在高が収納カセット３１の最大容量を超えることが許容されるのに対し、回収カセットがないときには、破線で示すように、最大在高が最大容量を超えることは許容できず、初期在高の最適値は、相対的に低くなる。同様に、図１３に示す例においても、回収カセット５３があるときには、実線で示すように、最大在高が収納カセット３１の最大容量を超えることが許容されるのに対し、回収カセットがないときには、破線で示すように、最大在高が最大容量を超えることは許容できず、その結果、最小在高が最小容量を下回って補充処理が必要となる場合が起こり得る。こうして、回収カセットを備えない入出金機１Ｂにおいては、初期在高の最適値は、相対的に低くなる。
【０１４４】
このように入出金機の構成に応じて、初期在高の設定方法を異ならせることにより、それぞれの構成において最適な初期在高を設定することが可能になり、それぞれ、業務中の回収処理や補充処理を回避して、業務効率の向上を図ることが実現する。
【０１４５】
尚、前記の例では、入出金機１Ａの記憶部５９が各収納カセット３１の在高の履歴を記憶しているが、例えば上位端末において、こうした履歴を記憶すると共に、上位端末において、記憶している履歴に基づき初期在高の最適値を設定するようにしてもよい。
【０１４６】
また、ここに開示する技術は、前述した構成の入出金機１Ａ、１Ｂに適用することに限らず、これとは異なる種々の構成の入出金機に適用することが可能である。さらに、紙幣入出金機に限らず、硬貨入出金機に適用することも可能であると共に、紙幣及び硬貨の双方を取り扱う、貨幣入出金機に適用することも可能である。
【符号の説明】
【０１４７】
１Ａ  紙幣入出金機（紙幣処理装置、紙幣処理機）
１Ｂ  紙幣入出金機（紙幣処理装置、紙幣処理機）
３１  収納カセット（収納部）
５１１  表示部
５１３  制御部（在高設定部、補充・回収部）
５３  回収カセット（オーバーフロー収納部）
５９  記憶部
Ｓ  紙幣入出金システム（貨幣処理システム）
Ｔ  上位端末（管理装置）
【図１】
2013167936.tif 000003
【図２】
2013167936.tif 000004
【図３】
2013167936.tif 000005
【図４】
2013167936.tif 000006
【図５】
2013167936.tif 000007
【図６】
2013167936.tif 000008
【図７】
2013167936.tif 000009
【図８】
2013167936.tif 000010
【図９】
2013167936.tif 000011
【図１０】
2013167936.tif 000012
【図１１】
2013167936.tif 000013
【図１２】
2013167936.tif 000014
【図１３】
2013167936.tif 000015
【図１４】
2013167936.tif 000016
【図１５】
2013167936.tif 000017